(57)【要約】【課題】地温上昇効果を維持できると共に、株元に適度な水分を確保できて不定根の発生、発育を促進でき、生育ステージ後半までも良好な生長を継続することのできるタバコ栽培用マルチフィルムを提供すること。【解決手段】栽培植物３の初期植生部位に対応してフィルムの長さ方向に延在する着色された初期植生領域１の両側に、それぞれ透明領域２、２を有してなるタバコ栽培用マルチフィルム、好ましくは前記初期植生領域１は黒色であること、前記初期植生領域１の幅は、５〜５０ｃｍであることである。【選択図】図２
2005295805.tif 000002
【特許請求の範囲】
【請求項１】
栽培植物の初期植生部位に対応してフィルムの長さ方向に延在する着色された初期植生領域の両側に、それぞれ透明領域を有してなることを特徴とするタバコ栽培用マルチフィルム。
【請求項２】
前記初期植生領域は黒色であることを特徴とする請求項１記載のタバコ栽培用マルチフィルム。
【請求項３】
前記初期植生領域の幅は、５〜５０ｃｍであることを特徴とする請求項１又は２記載のタバコ栽培用マルチフィルム。
【発明の詳細な説明】
【技術分野】
【０００１】
本発明はタバコ栽培用マルチフィルムに関し、詳しくは、地温上昇効果と不定根の生育効果に優れたタバコ栽培用マルチフィルムに関する。
【背景技術】
【０００２】
日本のタバコ栽培は、現在約２．３万ｈａであり、九州地区と北関東以北地区（含東北）の南北２地区で約９０％を占めている。タバコの品種としては、大別して、黄色種、在来種、バーレー種があり、主産地としては、黄色種は主に九州、在来種は主に北関東、そして、バーレー種は主に東北というように、各々の品種特性から栽培地が選別されている。
【０００３】
タバコ栽培にはフィルムマルチ栽培が必須であり、マルチフィルムとしては、透明フィルム（含アルミ系反射タイプ）、黒色フィルム、黒色−透明−黒色の配色フィルム等が用いられている。このようなフィルムマルチ栽培は、地温上昇、土中水分保持、雑草抑制、アブラムシ等の害虫飛来防止等が主な狙いであり、各地の栽培環境（特性）や作型を考慮しながら、フィルムを選定使用している現状にある。
【０００４】
現在、比較的寒冷な東北地区の岩手県や青森県におけるタバコのマルチ栽培では、フィルムマルチによる地温上昇効果が第一の目的であり、このため地温上昇効果に優れた透明フィルムが主力となっている。
【０００５】
ところで、フィルムマルチによるタバコのマルチ栽培方法としては、従来から改良マルチ法と折衷マルチ法とが知られているが、現在では折衷マルチ法が主流となっている。折衷マルチ法はマルチ同時移植法とも呼ばれ、その方法の概略は以下の通りである。
【０００６】
（１）畦１０を作成した後、マルチフィルム２０を被覆する（図４（ａ））。
【０００７】
（２）マルチフィルム２０を突き刺して畦１０に定植穴を開けるための定植穴開け具４０を用い、マルチフィルム２０上から畦１０に定植穴３０を開ける（図４（ｂ））。
【０００８】
（３）苗葉９〜１１枚程度の苗５０を、マルチフィルム２０下に隠れるように、穴底にそっと置くようにして定植穴３０に植え付ける（図４（ｃ））。なお、大規模栽培では、機械により上記（２）、（３）を同時に行う。
【０００９】
（４）その後、マルチフィルム２０下で苗が生長し、茎葉がマルチフィルム２０を持ち上げるようになったら、突き破られた穴から茎葉をマルチフィルム２０の外側に引き出す（図４（ｄ））。
【００１０】
（５）畦端の通路等から土を取り、定植穴３０のフィルム破れ目よりタバコの株元に土６０を入れ、手で押さえるようにして土寄せする（図４（ｅ））。
【特許文献１】特開２００２−１７１８４５号
【発明の開示】
【発明が解決しようとする課題】
【００１１】
しかしながら、地温上昇を第一目的として透明フィルムを用い、以上の折衷マルチ法によってタバコの栽培を行うと、生育後半の生長状況が劣るという問題が生じている。
【００１２】
本発明者は、この問題について鋭意検討した結果、その原因を以下のように推察している。すなわち、透明フィルムは太陽光を透過させて直接地表面を暖めるため、地面からの水分蒸発が活発になる。この水蒸気は太陽光を吸収しない冷たい透明フィルムの内面に結露し、畦の側部等の低い方に流れる。この結果、地表面は乾燥し、地表面の比熱が下がってますます昇温していくことにより、地温の上昇が過度となりやすい。しかも地表面は乾燥して水分不足となるため、タバコの不定根の発生、発育が不十分となり、生育後半での生長が衰えるようになるためと考えられる。
【００１３】
この不定根の発生、発育が不十分となる点について更に詳しく説明すると、タバコは播種後、生育条件が整えば、まず発根し、発芽して茎を伸ばす。その後、地上に茎葉が生育伸長していく。図５に示すように、マルチフィルム２０被覆下の苗５０の株元に、倒伏防止等のために土６０を置いて定植穴３０を穴埋めして土寄せすると、茎より不定根５１が発生してくる。この不定根５１は上位葉と導管で連絡しており、上位葉の生育には大変重要な存在である。このような不定根５１は、タバコの初期生育を促進し、最大生長期の葉の充実不足や晩作を防止する効果が大きい。そして、この不定根５１は生長が盛んであるが、浅根性で空気流通の良い土を好む性質があり、その生長を良くするためには、適当な地温と水分が重要である。従って、地温が高すぎ、しかも土壌が乾燥し過ぎて水分不足の時は、この大事な不定根５１の発生、生長が不十分となり、特に生育後半の生長に問題が生じるものと考えられる。
【００１４】
このため、透明フィルムに代えて、着色された例えば黒色フィルムを使用することも考えられるが、マルチ栽培の第一の目的である地温上昇効果に劣る問題がある。すなわち、太陽光の大部分はフィルムに吸収されてフィルム温度を上げ、その熱の一部が地表面に伝わる。当然、透明より地表面温度は低く、水蒸気の発生も透明フィルムに比べて少ない。そして、その水蒸気は高温のフィルム内面には結露せず、より低温の地表面に戻る。このため地表面は湿潤となるものの、地温上昇が抑えられ、地温上昇効果が発揮されない。
【００１５】
そこで、本発明は、地温上昇効果を維持できると共に、株元に適度な水分を確保できて不定根の発生、発育を促進でき、生育ステージ後半までも良好な生長を継続することのできるタバコ栽培用マルチフィルムを提供することを課題とする。
【００１６】
本発明の他の課題は、以下の記載により明らかとなる。
【課題を解決するための手段】
【００１７】
本発明の課題は、以下の各発明により解決される。
【００１８】
（請求項１）
栽培植物の初期植生部位に対応してフィルムの長さ方向に延在する着色された初期植生領域の両側に、それぞれ透明領域を有してなることを特徴とするタバコ栽培用マルチフィルム。
【００１９】
（請求項２）
前記初期植生領域は黒色であることを特徴とする請求項１記載のタバコ栽培用マルチフィルム。
【００２０】
（請求項３）
前記初期植生領域の幅は、５〜５０ｃｍであることを特徴とする請求項１又は２記載のタバコ栽培用マルチフィルム。
【発明の効果】
【００２１】
本発明によれば、地温上昇効果を維持できると共に、株元に適度な水分を確保できて不定根の発生、発育を促進でき、生育ステージ後半までも良好な生育を行うことのできるタバコ栽培用マルチフィルムを提供することができる。
【発明を実施するための最良の形態】
【００２２】
以下、本発明の実施の形態について図面を用いて説明する。
【００２３】
本発明に係るタバコ栽培用マルチフィルムは、図１に示すように、フィルムの長さ方向に延在する着色された初期植生領域１の両側に、それぞれ透明領域２、２を有している。初期植生領域１は、フィルム幅方向のほぼ中央に位置しており、図２に示すように、畦４に被覆した際のタバコの苗３の初期植生部位に対応し、各透明領域２、２は、畦４の側部にそれぞれ対応している。
【００２４】
この初期植生領域１は、フィルムが着色されているため、フィルムが太陽光を吸収してフィルム自体は蓄熱されるが、初期植生領域１下の地表面を直接暖めることはなく、上述したように、水蒸気は高温のフィルム内面には結露せず、より低温の地表面に戻ることから地表面を湿潤状態とし、過度の地温上昇は抑制される。これにより、タバコの苗４の株元には、適度な地温と水分が確保され、土寄せ後の茎から発生する不定根３１の生育、繁茂を促すことができる。
【００２５】
一方、初期植生領域１の両側は着色されていない透明領域２、２とされているため、太陽光はフィルムを透過して透明領域２、２下の地表面を直接暖めることができ、畦４の地温を上昇させる機能を果たす。その結果、タバコの上位葉の充実、開張を図ることができ、生育ステージ後半でも良好な生育を行うことができ、収量の安定確保を実現できるようになる。
【００２６】
着色された初期植生領域１の幅Ａは、苗３を定植した穴を土で埋めて土寄せした後の不定根３１の良好な生育を促す目的で、５〜５０ｃｍとすることが好ましい。５ｃｍよりも狭くすると、苗３の株元に不定根３１の生育に十分な水分を確保することが難しくなり、５０ｃｍよりも広くすると、畦４全体の地温上昇効果を発揮でき難くなる。より好ましくは、２５〜３５ｃｍとすることである。
【００２７】
初期植生領域１は、このように太陽光を被覆下に透過させない機能を果たすように、太陽光を吸収する機能、すなわち、太陽光の遮断とフィルムへの蓄熱機能があればよく、着色されていればその色は任意であるが、コストと性能の観点から、樹脂原料中にカーボンブラックを練り込むことにより黒色とすることが好ましい。
【００２８】
本発明に係るタバコ栽培用マルチフィルムを構成する樹脂には、ポリオレフィン系樹脂や軟質材料が好ましい。ポリオレフィン系樹脂としては、低密度ポリエチレン（ＬＤＰＥ）、直鎖状低密度ポリエチレン（ＬＬＤＰＥ）、メタロセンポリエチレン、高密度ポリエチレン（ＨＤＰＥ）、エチレン−酢酸ビニル共重合体（ＥＶＡ）等が挙げられる。また、軟質材料としては、ポリ塩化ビニル（ＰＶＣ）、ポリプロピレン、エチレン−プロピレン共重合体、エチレン−アクリル酸共重合体、エチレン−メチルメタクリレート共重合体、エチレン−酢酸ビニル−メチルメタクリレート共重合体、アイオノマー共重合体等が挙げられる。
【００２９】
フィルムの製造方法としては、初期植生領域１、透明領域２、２に対応する各樹脂原料を、インフレーション法やＴダイ法を用いて３列同時押し出し成形によって形成することができる。
【００３０】
フィルムの厚みは、５〜５０μｍ、好ましくは１０〜３０μｍである。
【００３１】
また、本発明に係るタバコ栽培用マルチフィルムには、界面活性剤、耐候安定剤、紫外線吸収剤、滑剤、アンチブロッキング剤等の各種添加剤を添加することもできる。
【００３２】
更に、本発明に係るタバコ栽培用マルチフィルムは、アブラムシ等の害虫飛来を防止する観点から、フィルムに紫外光線反射能を付与する目的で、図３に示すように、被覆時に表面となる側に、各透明領域２、２の太陽光の透過による地温上昇機能を阻害しない程度に、Ａｌ粉を練り込んだ反射層５を濃度的に薄く積層するようにしても良い。また、同様の観点から、少量のＡｌ粉を各透明領域２、２の透明性を保持するレベルで添加することもできる。例えば、２０μｍのフィルム厚みの場合、Ａｌ粉を樹脂原料中に０．１％程度混入すれば良い。
【実施例】
【００３３】
以下、実施例により本発明の効果を例証する。
【００３４】
（フィルムの製造）
本発明フィルム１（透明−着色−透明フィルム）
ベース樹脂としてＬＬＤＰＥ（ＭＩ１．０、比重０．９２０）を用い、インフレーション法による３列同時押し出し法により、初期植生領域とその両側に透明領域の３列の本発明フィルム１を形成した。フィルム厚さは２０μｍであった。
【００３５】
初期植生領域の着色剤としては、ベース樹脂ＬＤＰＥ（ＭＩ７．０、比重０．９２）にフィルムグレード用カーボンブラック粉末３０重量％を混入した黒色マスターバッチを用いた。着色剤の添加量は８．５重量％とし、幅は３０ｃｍになるように形成した。
【００３６】
また透明領域は初期植生領域の両側にそれぞれ幅５０ｃｍに形成した。
【００３７】
なお、ベース樹脂には耐候安定剤、滑剤、アンチブロッキング剤を所定量配合した。
【００３８】
比較フィルム１（フィルム全体が無着色の透明フィルム）
本発明フィルム１において、初期植生領域を形成せずに透明領域のみとした以外は、同様に厚さ２０μｍの比較フィルム１を形成した。
【００３９】
比較フィルム２（フィルム全体が黒色フィルム）
本発明フィルム１において、透明領域を形成せずに、ベース樹脂に、初期植生領域に用いた黒色マスターバッチを配合して、厚さ２０μｍの黒色の比較フィルム２を形成した。
【００４０】
（栽培実験）
みかど化工（株）の委託圃場（青森県六戸町）に、それぞれフィルム被覆畦幅８０ｃｍ、長さ２０ｍの３本の畦（試験区、対照区１、２）を形成した。
【００４１】
平成１５年４月２０日に、試験区の畦に本発明フィルム１、対照区１の畦に比較フィルム１、対照区２の畦に比較フィルム２をそれぞれ被覆した。
【００４２】
その後、図４（ａ）〜（ｃ）に示すようにフィルムの上から穴開け機を用いて、深さ１２ｃｍ、直径１０ｃｍの定植穴を開け、葉数１０枚程度の播種後４０日目のタバコの苗（バーレー種）を、平成１５年５月１日に、それぞれの畦に５２株ずつ定植して栽培した後、１０日目に、図４（ｄ）（ｅ）に示すように、茎葉をフィルム外側に引き出した後、各株元の定植穴を土で埋めて土寄せした。
【００４３】
即ち、平成１５年５月１日に定植し、同年８月２０日の幹刈り日までの８１日間マルチ栽培を行った。
【００４４】
（評価結果）
収穫葉の平均重量の相対値は、現状、対照フィルムとして比較フィルム１（透明フィルム）が１００に対して、本発明フィルムは１２４、一方、比較フィルム（黒色フィルム）は７５であり、本発明の方が収穫量の点で優れていることがわかる。また、比較フィルム２は、地温不足で全く収穫不良であった。
【図面の簡単な説明】
【００４５】
【図１】本発明に係る農業用マルチフィルムの断面斜視図
【図２】本発明に係る農業用マルチフィルムの使用状態を示す図
【図３】本発明に係る農業用マルチフィルムの他の態様を示す断面図
【図４】（ａ）〜（ｅ）はタバコのマルチ栽培方法を説明する図
【図５】マルチ栽培におけるタバコの苗の様子を示す図
【符号の説明】
【００４６】
１：初期植生領域
２：透明領域
３：苗
３１：不定根
４：畦
５：反射層
【図１】
2005295805.tif 000003
【図２】
2005295805.tif 000004
【図３】
2005295805.tif 000005
【図４】
2005295805.tif 000006
【図５】
2005295805.tif 000007